【手続補正書】
【提出日】平成19年7月27日(2007.7.27)
【手続補正１】
【補正対象書類名】明細書
【補正対象項目名】特許請求の範囲
【補正方法】変更
【補正の内容】
【特許請求の範囲】
【請求項１】パチンコ遊戯台と、パチンコカードと、前記パチンコ遊戯台の出玉を管理する集中管理システムを有するシステムであって、
前記パチンコ遊戯台に対応するカード読み書き装置に前記パチンコカードが挿入された状態で、前記パチンコカードに前記パチンコ遊戯台の遊戯台番号と前記パチンコ遊戯台の持ち玉数情報が書き込まれ、
前記集中管理システムに対応するカード読み書き装置に前記パチンコカードが挿入された状態で、前記パチンコカードに書き込まれた前記遊戯台番号と前記持ち玉数情報が読み出され、前記パチンコ遊戯台から前記集中管理システムに送られてきた遊戯台番号と持ち玉数情報とがそれぞれ比較されて、一致した場合には前記持ち玉数情報が有効と判断すること
を特徴とするパチンコ出玉管理システム。
【請求項２】パチンコ遊戯台と、パチンコカードと、前記パチンコ遊戯台の出玉を管理する集中管理システムを有するシステムであって、
前記パチンコ遊戯台に対応するカード読み書き装置に前記パチンコカードが挿入された状態で、前記パチンコカードに前記パチンコ遊戯台の持ち玉数情報と持ち玉認識情報とが書き込まれ、
前記集中管理システムに対応するカード読み書き装置に前記パチンコカードが挿入された状態で、前記パチンコカードに書き込まれた前記持ち玉数情報と前記持ち玉認識情報が読み出され、前記パチンコ遊戯台から前記集中管理システムに送られてきた持ち玉数情報と持ち玉認識情報とがそれぞれ比較されて、両方とも一致した場合には前記持ち玉数情報が有効と判断すること
を特徴とするパチンコ出玉管理システム。
【請求項３】前記集中管理システムは前記パチンコ遊戯台毎に前記持ち玉数情報と前記持ち玉認識情報を記録する遊戯台記録部を有し、前記遊戯台記録部は前記持ち玉数情報と前記持ち玉認識情報を一組とするブロックが複数記録されること
を特徴とする請求項２に記載のパチンコ出玉管理システム。
【請求項４】パチンコ遊戯台と、パチンコカードと、前記パチンコ遊戯台の出玉を管理する集中管理システムを有するシステムであって、
前記パチンコ遊戯台に対応するカード読み書き装置に前記パチンコカードが挿入された状態で、前記パチンコカードに記録された店認識情報が読み出され、前記店認識情報が有効な場合には前記パチンコカードに前記パチンコ遊戯台の持ち玉数情報と持ち玉認識情報とが書き込まれ、
前記集中管理システムに対応するカード読み書き装置に前記パチンコカードが挿入された状態で、前記パチンコカードに記録された店認識情報が読み出され、前記店認識情報が有効な場合には前記パチンコカードに書き込まれた前記持ち玉数情報と前記持ち玉認識情報が読み出され、前記パチンコ遊戯台から前記集中管理システムに送られてきた持ち玉数情報と持ち玉認識情報とがそれぞれ比較されて、両方とも一致した場合には前記持ち玉数情報が有効と判断すること
を特徴とするパチンコ出玉管理システム。
【請求項５】パチンコ遊戯台と、パチンコカードと、前記パチンコ遊戯台の出玉を管理する集中管理システムを有するシステムであって、
第一のパチンコ遊戯台に対応するカード読み書き装置に前記パチンコカードが挿入された状態で遊戯者が獲得した第一の持ち玉数情報が前記第一のパチンコ遊戯台から前記集中管理システムに送られ、
第二のパチンコ遊戯台に対応するカード読み書き装置に前記パチンコカードが挿入された状態で遊戯者が獲得した第二の持ち玉数情報が前記第二のパチンコ遊戯台から前記集中管理システムに送られ、
前記集中管理システムに対応するカード読み書き装置に前記パチンコカードが挿入されると、前記第一のパチンコ遊戯台から前記集中管理システムに送られてきた第一の持ち玉数情報と前記第二のパチンコ遊戯台から前記集中管理システムに送られてきた第二の持ち玉数情報が集計されて得られる遊戯者の獲得した景品の総数が表示されること
を特徴とするパチンコ出玉管理システム。
【請求項６】パチンコ遊戯台と、パチンコカードと、前記パチンコ遊戯台の出玉を管理する集中管理システムを有するシステムであって、
第一のパチンコ遊戯台に対応するカード読み書き装置に前記パチンコカードが挿入された状態で遊戯者が獲得した第一の持ち玉数情報が前記パチンコカードに書き込まれ、
第二のパチンコ遊戯台に対応するカード読み書き装置に前記パチンコカードが挿入された状態で遊戯者が獲得した第二の持ち玉数情報が前記パチンコカードに書き込まれ、
前記集中管理システムに対応するカード読み書き装置に前記パチンコカードが挿入されると、前記第一の持ち玉数情報と前記第二の持ち玉数情報が集計されて得られる遊戯者の獲得した景品の総数が表示されること
を特徴とするパチンコ出玉管理システム。
【請求項７】パチンコ遊戯台と、パチンコカードと、前記パチンコ遊戯台の出玉を管理する集中管理システムを有するシステムで使用されるパチンコ遊戯台であって、
カード読み書き装置を有し、前記カード読み書き装置に前記パチンコカードが挿入された状態で、前記パチンコカードに前記パチンコ遊戯台の遊戯台番号と持ち玉数情報とを書き込み、前記集中管理システムに前記遊戯台番号と前記持ち玉数情報とを送ること
を特徴とするパチンコ遊戯台。
【請求項８】パチンコ遊戯台と、パチンコカードと、前記パチンコ遊戯台の出玉を管理する集中管理システムを有するシステムで使用されるパチンコ遊戯台であって、
カード読み書き装置を有し、前記カード読み書き装置に前記パチンコカードが挿入された状態で、前記パチンコカードに持ち玉数情報と持ち玉認識情報とを書き込み、前記集中管理システムに前記持ち玉数情報と前記持ち玉認識情報とを送ること
を特徴とするパチンコ遊戯台。
【請求項９】パチンコ遊戯台と、パチンコカードと、前記パチンコ遊戯台の出玉を管理する集中管理システムを有するシステムで使用されるパチンコ遊戯台であって、
カード読み書き装置を有し、前記カード読み書き装置に前記パチンコカードが挿入された状態で、前記パチンコカードに記録された店認識情報が読み出され、前記店認識情報が有効な場合には前記パチンコカードに持ち玉数情報と持ち玉認識情報とを書き込み、前記集中管理システムに前記持ち玉数情報と前記持ち玉認識情報とを送ること
を特徴とするパチンコ遊戯台。
【請求項１０】パチンコ遊戯台と、パチンコカードと、前記パチンコ遊戯台の出玉を管理する集中管理システムを有するシステムで使用されるパチンコカードであって、
前記パチンコ遊戯台に対応するカード読み書き装置に前記パチンコカードが挿入された状態で前記パチンコ遊戯台の遊戯台番号が書き込まれ、前記集中管理システムに対応するカード読み書き装置に前記パチンコカードが挿入された状態で前記遊戯台番号が読み出される遊戯台番号記録部と、
前記パチンコ遊戯台に対応するカード読み書き装置に前記パチンコカードが挿入された状態で前記パチンコ遊戯台の有する持ち玉数情報が書き込まれ、前記集中管理システムに対応するカード読み書き装置に前記パチンコカードが挿入された状態で前記持ち玉数情報が読み出される持ち玉数記録部と
を有することを特徴とするパチンコカード。
【請求項１１】前記遊戯台番号記録部と前記持ち玉数記録部が一組となって形成されたブロックを複数有すること
を特徴とする請求項１０に記載のパチンコカード。
【請求項１２】前記各ブロックはブロックが使用中であるか否かを示す使用中フラグを有すること
を特徴とする請求項１１に記載のパチンコカード。
【請求項１３】パチンコ遊戯台と、パチンコカードと、前記パチンコ遊戯台の出玉を管理する集中管理システムを有するシステムで使用されるパチンコカードであって、
前記パチンコ遊戯台に対応するカード読み書き装置に前記パチンコカードが挿入された状態で前記パチンコ遊戯台の有する持ち玉数情報が書き込まれ、前記集中管理システムに対応するカード読み書き装置に前記パチンコカードが挿入された状態で前記持ち玉数情報が読み出される持ち玉数記録部と、
前記パチンコ遊戯台に対応するカード読み書き装置に前記パチンコカードが挿入された状態で前記パチンコ遊戯台の有する持ち玉数情報に対応する持ち玉認識情報が書き込まれ、前記集中管理システムに対応するカード読み書き装置に前記パチンコカードが挿入された状態で前記持ち玉認識情報が読み出される持ち玉認識情報記録部と
を有することを特徴とするパチンコカード。
【請求項１４】パチンコ遊戯台と、パチンコカードと、前記パチンコ遊戯台の出玉を管理する集中管理システムを有するシステムで使用されるパチンコカードであって、
前記パチンコ遊戯台に対応するカード読み書き装置に前記パチンコカードが挿入された状態で前記パチンコ遊戯台の遊戯台番号が書き込まれ、前記集中管理システムに対応するカード読み書き装置に前記パチンコカードが挿入された状態で前記遊戯台番号が読み出される遊戯台番号記録部と、
前記パチンコ遊戯台に対応するカード読み書き装置に前記パチンコカードが挿入された状態で前記パチンコ遊戯台の有する持ち玉数情報が書き込まれ、前記集中管理システムに対応するカード読み書き装置に前記パチンコカードが挿入された状態で前記持ち玉数情報が読み出される持ち玉数記録部と、
前記パチンコ遊戯台に対応するカード読み書き装置に前記パチンコカードが挿入された状態で前記パチンコ遊戯台の有する持ち玉数情報に対応する持ち玉認識情報が書き込まれ、前記集中管理システムに対応するカード読み書き装置に前記パチンコカードが挿入された状態で前記持ち玉認識情報が読み出される持ち玉認識情報記録部と
を有することを特徴とするパチンコカード。
【請求項１５】前記遊戯台番号記録部と前記持ち玉数記録部と前記持ち玉認識情報記録部が一組となって形成されたブロックを複数有すること
を特徴とする請求項１４に記載のパチンコカード。
【請求項１６】パチンコ遊戯台と、パチンコカードと、前記パチンコ遊戯台の出玉を管理する集中管理システムを有するシステムで使用されるパチンコカードであって、
前記パチンコ遊戯台に対応するカード読み書き装置または前記集中管理システムに対応するカード読み書き装置に前記パチンコカードが挿入された状態で読み出される店認識情報を記録するための店認識情報記録部と、
前記パチンコ遊戯台に対応するカード読み書き装置に前記パチンコカードが挿入された状態で前記パチンコ遊戯台の遊戯台番号が書き込まれ、前記集中管理システムに対応するカード読み書き装置に前記パチンコカードが挿入された状態で前記遊戯台番号が読み出される遊戯台番号記録部と、
前記パチンコ遊戯台に対応するカード読み書き装置に前記パチンコカードが挿入された状態で前記パチンコ遊戯台の有する持ち玉数情報が書き込まれ、前記集中管理システムに対応するカード読み書き装置に前記パチンコカードが挿入された状態で前記持ち玉数情報が読み出される持ち玉数記録部と、
前記パチンコ遊戯台に対応するカード読み書き装置に前記パチンコカードが挿入された状態で前記パチンコ遊戯台の有する持ち玉数情報に対応する持ち玉認識情報が書き込まれ、前記集中管理システムに対応するカード読み書き装置に前記パチンコカードが挿入された状態で前記持ち玉認識情報が読み出される持ち玉認識情報記録部と
を有することを特徴とするパチンコカード。